(57)【要約】      （修正有）【課題】洋式トイレに座って用を足すとき、降ろした衣服を容易に束ねて保持できる結束具付きズボンを提供する。【解決手段】ズボン１２の内側に結束具１４が設けられる。結束具１４は、柔軟な長尺体である布帯体と、布帯体の両端部に一対に取り付けられて互いに係合離脱可能な係合具とで構成される。帯布体の部分がズボン１２内側の股部１６に固定されている。布帯体は、ズボン１２を構成する複数の生地が縫合された縫い代部分に縫い付けられている。【選択図】図１
0003190352.tif 000002
【実用新案登録請求の範囲】
【請求項１】
ズボンの内側に結束具が設けられ、
前記結束具は、柔軟な長尺体と、前記長尺体の両端部に一対に取り付けられて互いに係合離脱可能な係合具とで構成され、前記長尺体の部分が前記ズボン内側の股部に固定されていることを特徴とする結束具付きズボン。
【請求項２】
前記長尺体は、前記ズボンを構成する複数の生地が縫合された縫い代部分に縫い付けられている請求項１記載の結束具付きズボン。
【請求項３】
前記長尺体は布帯体であり、
前記係合具は雄ホックと雌ホックとから成る請求項１記載の結束具付きズボン。
【請求項４】
前記長尺体は、前記ズボン内側の、前記股部の中央より前側の位置に固定されている請求項１乃至３のいずれか記載の結束具付きズボン。
【考案の詳細な説明】
【技術分野】
【０００１】
本考案は、洋式トイレに座って用を足すとき、降ろした衣服を束ねて保持できる結束具付きズボンに関する。
【背景技術】
【０００２】
従来から、公衆トイレ等で用を足す際、衣服が便器や床に付かないように工夫したものが複数提案されている。例えば、特許文献１に示すように、衣服内側の袖口や裾口の部分に所定の保持手段を設ける袖口または裾口の保持構造があった。保持手段は、帯状のゴム部材と、ゴム部材の一端部に取り付けられた係止部と、ゴム部材の他端部に取り付けられた係止受け部とで構成され、係止部と係止受け部が係合離脱可能になっている。保持手段を使用するときは、ゴム部材を引っ張って脚部の側面に巻き付け、係止部と係止受け部とを係合させる。これにより、ゴム部材が脚部の適宜位置に引っ掛かり、裾口等がずり落ちずに保持される。
【０００３】
また、特許文献２に示すように、軽くて伸縮性の高いコイル紐の両端にナス環を取り付けたトイレ用衣服保持紐体があった。ナス環には、通し輪等が着脱可能に取り付けられ、通し輪を腰ベルトに通すことによって携行可能にすることができる。例えば洋式トイレで用を足すとき、腰ベルトの通し輪からトイレ用衣服保持紐体を外し、降ろしたズボン等の衣服の上から膝部位の周囲を１回りさせ、ナス環を連結する等して固定する。これにより、衣服が脚部の周囲に押しつけられ、ずり落ちずに保持される。
【先行技術文献】
【特許文献】
【０００４】
【特許文献１】特開平９−２７３０１４号公報
【特許文献２】実開平７−３１８２３号公報
【考案の概要】
【考案が解決しようとする課題】
【０００５】
特許文献１の保持構造は、洋式トイレで用を足すとき、降ろした衣服（ズボンと下着）が便器や床に付かないようにすることについて考慮されていない。
【０００６】
特許文献２のトイレ用衣服保持紐体は、腰ベルトに装着して携行すると意外に目立つので好ましくない。ポケットに入れて携行すると、コイル紐が潰れて変形してしまうおそれがある。また、カバン等に入れて携行すると、トイレで用足しする毎にカバン等から取り出すのが非常に面倒である。
【０００７】
本考案は、上記背景技術に鑑みて成されたものであり、洋式トイレに座って用を足すとき、降ろした衣服を容易に束ねて保持できる結束具付きズボンを提供することを目的とする。
【課題を解決するための手段】
【０００８】
本考案は、ズボンの内側に結束具が設けられ、前記結束具は、柔軟な長尺体と、前記長尺体の両端部に一対に取り付けられて互いに係合離脱可能な係合具とで構成され、前記長尺体の部分が前記ズボン内側の股部に固定されている結束具付きズボンである。
【０００９】
前記長尺体は、前記ズボンを構成する複数の生地が縫合された縫い代部分に縫い付けられている。また、前記長尺体は布帯体であり、前記係合具は雄ホックと雌ホックとから構成されている。さらに、前記長尺体は、前記ズボン内側の、前記股部の中央より前側の位置に固定されている。
【考案の効果】
【００１０】
本考案の結束具付きズボンによれば、洋式トイレに座ったとき、降ろした衣服（ズボンと下着）を結束部で束ねて保持し、便器や床に付くのを簡単に防止できるので、安心して用を足すことができる。
【００１１】
また、結束具は、ズボンに固定されているので、カバン等に入れて携行する面倒がなく、しかも普段はズボンの内側に隠れているので、外から目立たない。また、長尺体が柔軟な素材なので、ズボンをはいたとき、ズボンの生地と脚との隙間に自然に吊下げられた状態となり、ズボンのはき心地にもほとんど影響しない。
【図面の簡単な説明】
【００１２】
【図１】本考案の結束具付きズボンの一実施形態を示す正面図（ａ）、右側面図（ｂ）である。
【図２】この実施形態の結束具付きズボンに設けられている結束具を示す平面図（ａ）、正面図（ｂ）、雄ホックと雌ホックとを係合させた状態を示す正面図（ｃ）である。
【図３】この実施形態の結束具付きズボンの使用方法を説明する右側面図（ａ）、正面図（ｂ）である。
【考案を実施するための形態】
【００１３】
以下、考案の結束具付きズボンの一実施形態について、図面に基づいて説明する。この実施形態の結束具付きズボン１０は、図１に示すように、ズボン１２に結束具１４を取り付けたものである。
【００１４】
ズボン１２は、いわゆる長ズボンであり、股部１６の下側の股下部１８が下肢全体を覆う長さを有している。また、股部１６の上側の股上部２０の前方に開閉部２０ａが設けられ、はきやすくなっている。
【００１５】
結束具１４は、図２に示すように、柔軟な長尺体である布帯体２２と、布帯体２２の両端部に一対に取り付けられて互いに係合離脱可能な係合具２４（雌ホック２４ａ、雄ホック２４ｂ）とで構成されている。布帯体２２は、ズボン１２と一緒に洗濯されるので、耐洗濯性に優れた素材を選択するとよい。布帯体２２の外形は、例えば、長さが２００〜４００ｍｍ、幅が１０〜２０ｍｍの薄い布材が好適である。雌ホック２４ａは、布帯体２２の一端部の表面に縫い付けられ、雄ホック２４ｂは、布帯体２２の他端部の裏面に縫い付けられ、雌ホック２４ａと雄ホック２４ｂとを互いに係合させると、図２（ｃ）に示すように、布帯体２２をリング状に閉じることができる。
【００１６】
結束具１４は、布帯体２２の中央部２２ａがズボン１２内側の股部１６に縫合され、ズボン１２に固定されている。固定位置は、ズボン１２を構成する複数の生地が股部１６で縫合された縫い代部分に縫い付けると良い。
【００１７】
次に、結束具付きズボン１０の使用方法について説明する。結束具付きズボン１０をはいた状態で洋式トイレ１に入って用を足すとき、図３に示すように、ズボン１２と下着２６（ブリーフ等）を降ろしながら便座１ａに腰掛ける。そして、降ろしたズボン１２の股上部２０と股部１６、及び下着２６を膝頭のやや下側の位置でまとめ、両脚の間に繋がっている部分を結束具１４の布帯体２２で束ね、雌ホック２４ａと雄ホック２４ｂとを係合させることによって、ズボン１２と下着２６が便器１ｂや床２に付かない位置に保持される。
【００１８】
以上説明したように、結束具付きズボン１０によれば、降ろした衣服（ズボン１２と下着２６）を結束部１４で束ねて保持し、便器１ｂや床２に付くのを簡単に防止できるので、安心して用を足すことができる。
【００１９】
また、結束具１４は、ズボン１２に固定されているので、カバン等に入れて持ち歩く手間がかからず、しかも普段はズボン１２の内側に隠れているので、外から目立たない。また、布帯体２２が柔軟なので、ズボン１２をはいたとき、ズボン１２の生地と脚との隙間に自然に吊下げられた状態となり、ズボン１２のはき心地にもほとんど影響しない。
【００２０】
結束具１４は、図１（ｂ）に示すように、ズボン１２内側の股部１６の中央より前側の位置に固定することが好ましく、上述したズボン１２と下着２６を束ねる操作が非常にやりやすくなる。
【００２１】
なお、本考案の結束具付きズボンは、上記実施形態に限定されるものではない。例えば、ズボンは、股部を有するものであれば、スラックス、ジーンズ、ジャージ、キュロットスカート等の種類を問わず、長ズボンでも半ズボンでもよい。
【００２２】
結束具の長尺体は、布帯体に代えて細長い紐等でもよく、長さは、束ねる衣服（ズボンと下着）の嵩張る具合に合わせて適宜調節することができる。例えば、大人用は長く、子供用は短くするとよい。また、ズボンの生地が厚い場合や下着が二重に着用される場合は、長尺体を長くして複数回巻き付けて束ねるように長くすることができる。また、長尺体の中央部以外の部分をズボンに固定してもよく、降ろした衣服（ズボンと下着）を束ねるときの操作性を考慮して自由に変更できる。ただし、ズボンが半ズボンの場合、ズボンをはいたときに長尺体の端部がズボンの裾から外に出てしまう可能性があるので注意する。長尺体は、伸縮性のあるゴム等を使用してもよい。
【００２３】
また、結束具の係合具は、上記の一対のホック（雌ホック２４ａと雄ホック２４ｂ）に代えて、一対のメンファスナ、一対のリングとフックなどを使用してもよい。
【００２４】
結束具の長尺体をズボンに固定する方法は、縫合、接着など特に限定されない。ズボンが複数枚の生地を縫合して形成される場合は、結束具の長尺体を、股部内側にある縫い代に固定すれば、ズボンをはいたとき、結束具の存在がより目立ちにくくなる。
【符号の説明】
【００２５】
１  洋式トイレ
１０  結束具付きズボン
１２  ズボン
１４  結束具
１６  股部
２２  布帯体（長尺体）
２４  係合具
２４ａ  雌ホック
２４ｂ  雄ホック
２６  下着
【図１】
0003190352.tif 000003
【図２】
0003190352.tif 000004
【図３】
0003190352.tif 000005